(57)【要約】【課題】簡単な構造で複数の揺動体を同時に揺動させることができる揺動玩具を提供すること。【解決手段】以下の要件を備えることを特徴とする揺動玩具Ａ。（イ）上記揺動玩具Ａは、基台１と該基台１上で揺動する複数の揺動体２とからなり、該揺動体２を支持する揺動部材５にはそれぞれ支軸６が設けられ、該支軸６は上記基台１に回動可能に軸支されていること（ロ）上記揺動部材５の下端にはそれぞれ連結軸８が設けられ、該連結軸８同士は連結部材１０で回動可能に連結されていること（ハ）上記連結部材１０の底面には磁石１４が配置されるとともに、上記基台１の内部には上記磁石１４の下方にコイル２０が配置され、該コイル２０は上記基台１に設けられた太陽電池３を電源とする制御回路２２で周期的に磁力を発生すること【選択図】図１
2008067995.tif 000002
【特許請求の範囲】
【請求項１】
以下の要件を備えることを特徴とする揺動玩具。
（イ）上記揺動玩具は、基台と該基台上で揺動する複数の揺動体とからなり、該揺動体を支持する揺動部材にはそれぞれ支軸が設けられ、該支軸は上記基台に回動可能に軸支されていること
（ロ）上記揺動部材の下端にはそれぞれ連結軸が設けられ、該係合軸同士は連結部材で回動可能に連結されていること
（ハ）上記連結部材の底面には磁石が配置されるとともに、上記基台の内部には上記磁石の下方にコイルが配置され、該コイルは上記基台に設けられた太陽電池を電源とする制御回路で周期的に磁力を発生すること
【請求項２】
以下の要件を備えることを特徴とする揺動玩具。
（イ）上記揺動玩具は、基台と該基台上で揺動する複数の揺動体とからなり、該揺動体を支持する揺動部材にはそれぞれ支軸が設けられ、該支軸は上記基台に回動可能に軸支されていること
（ロ）上記揺動部材の下端にはそれぞれ磁石が設けられ、１つの揺動部材の磁石の下方にはコイルが配置され、該コイルは上記基台に設けられた太陽電池を電源とする制御回路で周期的に磁力を発生すること
（ハ）上記１つの揺動部材部材の下端には揺動方向に直交してアームが設けられ、該アームの先端には磁石が設けてあること
（ニ）上記揺動体の他の揺動体に設けた磁石は、上記アームの磁石に吸引又は反発するように配置されていること
【発明の詳細な説明】
【技術分野】
【０００１】
本発明は、揺動玩具、詳しくは太陽電池を電源として複数の揺動体が揺れる動作をする揺動玩具に関するものである。
【背景技術】
【０００２】
従来、揺動玩具として太陽電池を電源として所定の物体を揺動させる玩具が提案されている。（例えば、特許文献１参照）。この揺動玩具は、大人の人形と子供の人形とから構成され、大人の人形はベースの上に着座し、子供の人形は大人の人形に寄りかかった状態で形成されているもので、大人の人形は頭部が胴部に対して左右に揺動するように構成されているものである。
【特許文献１】特開２００５−１９３０６０号公報（図１参照）
【発明の開示】
【発明が解決しようとする課題】
【０００３】
本発明が解決しようとする問題点は、上述の揺動玩具は大人の人形と子供の人形との２つの人形で構成されているが１つの揺動体である大人の人形の頭部を揺動させているが、子供の人形は動かないものであって、同時に複数の揺動体を揺動させるものではなかった。
【０００４】
本発明は、上記問題点を解決し、簡単な構造で複数の揺動体を連動して揺動させることができる揺動玩具を提供することを課題とする。
【課題を解決するための手段】
【０００５】
前記課題を解決するために本発明に係る揺動玩具は、以下の要件を備えることを特徴とする。
（イ）上記揺動玩具は、基台と該基台上で揺動する複数の揺動体とからなり、該揺動体を支持する揺動部材にはそれぞれ支軸が設けられ、該支軸は上記基台に回動可能に軸支されていること
（ロ）上記揺動部材の下端にはそれぞれ連結軸が設けられ、該係合軸同士は連結部材で回動可能に連結されていること
（ハ）上記連結部材の底面には磁石が配置されるとともに、上記基台の内部には上記磁石の下方にコイルが配置され、該コイルは上記基台に設けられた太陽電池を電源とする制御回路で周期的に磁力を発生すること
【０００６】
また、本発明に係る揺動玩具は、以下の要件を備えるようにしてもよい。
（イ）上記揺動玩具は、基台と該基台上で揺動する複数の揺動体とからなり、該揺動体を支持する揺動部材にはそれぞれ支軸が設けられ、該支軸は上記基台に回動可能に軸支されていること
（ロ）上記揺動部材の下端にはそれぞれ磁石が設けられ、１つの揺動部材の磁石の下方にはコイルが配置され、該コイルは上記基台に設けられた太陽電池を電源とする制御回路で周期的に磁力を発生すること
（ハ）上記１つの揺動部材部材の下端には揺動方向に直交してアームが設けられ、該アームの先端には磁石が設けてあること
（ニ）上記揺動体の他の揺動体に設けた磁石は、上記アームの磁石に吸引又は反発するように配置されていること
【発明の効果】
【０００７】
請求項１の発明によれば、揺動体同士を連結部材で連結し、その連結部材に磁石を設けたので、一方の揺動体の動きを利用して他の揺動体を作動させるものではないので太陽電池の小さなエネルギーで複数の揺動体を揺り動かすことができる。
【０００８】
請求項２の発明によれば、主となる揺動体の動きに連動して他の揺動体を動かすが、その動きをリンクなどを用いて機械的に他の揺動体を動かすことをしないので、複数の揺動体を太陽電池の小さなエネルギーで揺り動かすことができる。
【発明を実施するための最良の形態】
【０００９】
図１は本発明に係る揺動玩具Ａの一例を示し、この揺動玩具Ａは基台１の上に配置された揺動体２が太陽電池３を電源として左右に揺れ動くようにしたものである。
【００１０】
上記揺動体２はサルの頭部を模して形成され、基台１の上面に突出して形成されたサルの胴体部４に揺動可能に支持されているものである。揺動体であるサルの頭部２は、後述する揺動部材５に取り付けられたもので、図２、図３に示すように、揺動部材５の前後には支軸６がそれぞれ突出して形成され、この支軸６は胴体部４の内側に形成された丸穴からなる軸受孔７に支持されている（図４参照）。この支軸６は断面が逆三角形状に形成され、最下点となる頂点６ａが軸受孔７の内周面に点接触するようにし、揺動部材５を点で支持し、揺動時の抵抗が最大限小さくなるようにしている。
【００１１】
そして揺動部材５の下部には細い棒状の軸部５ａが連設され、この軸部５ａの下部には連結軸８がそれぞれ前後に突出して形成されている。この連結軸８は断面が三角形状に形成され、最上点となる頂点８ａが後述する連結部材１０の軸受孔１１の内周面に点接触するようにして連結部材１０を点で支持し、揺動時の抵抗が小さくなるようにしている。
【００１２】
連結部材１０は前部材１２と後部材１３とで構成され、左右にはそれぞれ上記連結軸８より大き目の円形の軸受孔１１が形成されている。
【００１３】
上記前部材１２には磁石１４を支持する鉄などの着磁性を有する金属製の支持板１５の一端１５ａを保持する長孔１６が形成され、後部材１３には同じく上記支持板１５の他端１５ｂを保持する長孔（図示せず）が形成されるとともに、磁石１４を磁着させた状態で支持板１５とともに磁石１４を収容する収容部１７が形成されている。
【００１４】
上記支持板１５に磁着させる２つの磁石１４ａ、１４ｂは、互いに異なる磁極面で支持板１５に磁着させている。
【００１５】
コイル２０は、揺動部材５が静止状態で磁石１４に対面するように連結部材１０の真下に配置され、太陽電池３を電源として動作する制御回路２２により周期的に磁力を発生し、発生した磁力は上記２つの磁石１４ａ、１４ｂの何れか一方と吸着し、他方とは反発するようになっている。なお、本発明では上記制御回路２２は上記コイル２０を発振用コイルとして発振するブロッキング発振回路で構成され、この制御回路２２は回路基板２１上にコイル２０とともにマウントされている。
【００１６】
図５は上記揺動玩具の制御回路２２を説明する基本的回路図を示し、この制御回路２２は、太陽電池３と電解コンデンサ２３とからなる充電回路部２４と、ブロッキング発振回路からなる発振回路部２５とで構成されている。この制御回路２２は、太陽電池３に光が当ると電解コンデンサ２３に充電が始り、充電電圧が一定電圧になると発振回路２５が動作し、発振用コイル（以下、コイルという）２０に低周波電流が流れる。この時コイル２０に磁力が発生し、スイッチ２６をＯＮしておけばコイル２０から圧電ブザー２７へ低周波電圧が供給され、その低周波電圧の周波数で圧電ブザーが駆動して周波数に対応したブザー音が発生するようになっている。
【００１７】
発振回路部２５が動作して電解コンデンサ２３が放電し電圧が低下すると発振回路部２５の動作は止まり、再び電解コンデンサ２３への充電が行なわれ、充電が行なわれると発振回路部２５が再び動作するので、太陽電池３に光が当り続けている限り、回路全体は電解コンデンサ２３の充電、発振回路部２５の動作開始、電解コンデンサ２３の放電、発振回路部２５の動作停止を繰り返す。この時、連結部材１０が揺れ動いている場合、磁石１４がコイル２０に起電力を生じ、この起電力が発振回路部２５を動作させるトリガの役割を果たすようになり、回路全体の繰り返し動作は、次第に連結部材１０の揺動周期にタイミングが合うようになり、太陽電池３に光が当っている限り連結部材１０の揺動動作が持続するようになっている。
【００１８】
上記構成の揺動玩具によれば、太陽電池３に光が当たり電気が誘起されると、発振回路部２５が作動してコイル２０に電流が流れて磁力が発生する。
【００１９】
コイル２０に磁力が発生すると連結部材１０の下に取り付けられた磁石１４ａはコイル２０の発生する磁力に吸引されるように配置されている場合は連結部材１０は図面上で右方向に移動し、頭部２は左に揺れる（図４（ａ）参照）。電解コンデンサ２３が放電するとコイル２０には電流が流れなくなり磁力の発生はなくなるため連結部材１０は元の位置に戻るように移動し、再びコイル２０に電流が流れ磁力が発生すると連結部材１０の下に取り付けられた磁石１４ｂはコイル２０の発生する磁力に反発して図面上で左方向に移動し、頭部２は右に揺れる（図４（ｂ）参照）。このようにして、コイル２０が磁力を発生すると、磁石１４ａが吸引され連結部材は図１上で、支軸を中心に反時計方向に回動し、コイル２０の磁力がなくなると連結部材は自重で時計方向に復帰回動し、再び発振回路が作動しコイル２０が磁力を発生すると、磁石１４ｂと反発しさらに時計方向に回動させるが、連結部材１０の磁石１４がコイル２０に起電力を生じ、この起電力が発振回路部２５を動作させるトリガの役割を果たすようになり、回路全体の繰り返し動作は、次第に連結部材１０の揺動周期にタイミングが合うようになり、結果として揺動部材５（揺動体２）は左右に継続して揺動をすることになる。
【００２０】
図６は、揺動玩具の他の例を示しこの揺動玩具Ａ１は連結部材を用いることなく複数の揺動玩具を揺動させることができるようにしたものである。
この揺動玩具Ａ１は基台１の上に、一匹の親カエル３０と２匹の小さな子カエル３１、３２とが配置され、親カエル３０の頭部３０ａが左右に揺動すると、左右の子カエル３１、３２の下顎３１ａ、３２ａが上下に揺動するようにしたものである。
【００２１】
この揺動玩具Ａ１は、図７に示すように、揺動部材３５の軸部３５ａの下端には磁石１４の収容部３６が形成され、この収容部３６の両側部から前方（揺動部材の揺動方向に直交する方向）に２本のアーム３７、３８が突出して形成され、このアーム３７、３８の先端には磁石３９、４０が取り付けられている。
【００２２】
そして、子カエル３１、３２の下顎３１ａ、３２ａは軸４１、４２で子カエル３１、３２の胴体部に上下に揺動可能に取り付けられている。この下顎３１ａ、３２ａは後部の裏面には磁石４３、４４が固定され、下顎３１ａ、３２ａの前部は軸４１、４２の後部より長く形成されて重くなっているので軸４１、４２を中心に前部が下方に回動し、口が開いた状態になっており、揺動部材３５が揺動し、アーム３７の先端の磁石３９が下顎３１ａの下方に位置する状態になると、磁石３９と磁石４３とが吸引し合い、下顎３１ａは軸４１を中心に前部が上方に回動し、口が閉じた状態になる。
【００２３】
この時、アーム３８の先端の磁石４０は下顎３２ａの下方から離れる状態になり、磁石４０の磁力は磁石４４には及ばなくなり、下顎３２ａは軸４２を中心に前部が下方に回動し、口が開いた状態になる。
【００２４】
上記構成の揺動玩具によれば、太陽電池３に光が当たり電気が誘起されると、発振回路部２５が作動してコイル２０に電流が流れて磁力が発生すると、磁石１４ａがコイル２０に吸引されて親カエル３０の頭部は左に揺れると、アーム３８の先端に固定された磁石４０が、右側の子カエル３２の下顎の磁石４４の下方に位置するようになるのでアームの磁石４０と、下顎の磁石４４とが吸引し合い、下顎３２ａは前部が上方に回動し、右側の子カエル３２は口を閉じた状態になる。一方、左側の子カエル３１は、アーム３７の磁石３９が下顎３１ａの磁石４３から離れた状態になるので、下顎３１ａは前部が下方に回動し、左側の子カエル３１は口を開けた状態になる。
【００２５】
発振回路２５が停止するとコイル２０に流れる電流が止まって磁力がなくなると揺動体は元の位置に戻るように動き、再び発振回路２５が動作してコイル２０に電流が流れ磁力が発生すると磁石１４ｂはコイル２０に反発して頭部は右に揺れる。頭部が右に揺れてアーム３７の先端に固定された磁石３９が、左側の子カエル３１の下顎３１ａの磁石４３の下方に位置すると、アーム３７の磁石３９と、下顎３１ａの磁石４３とが吸引し合い、下顎３１ａは前部が上方に回動し、左側の子カエル３１は口を閉じた状態になる。一方、右側の子カエル３２は、アーム３８の磁石４０が下顎３２ａの磁石４４から離れた状態になるので、下顎３２ａは前部が下方に回動し、右側の子カエル３２は口を開けた状態になる。
【００２６】
コイル２０が磁力を発生し、親カエル３０の頭部が揺動すると、親カエル３０の頭部が揺動した側の小カエルの口が閉じ、他方の小カエルの口が開き、親カエル３０の頭部の揺動に連動して子カエルが口を開いたり閉じたりするので、複数の揺動体が繰り返し動いて見た目にも楽しい揺動玩具を実現することができる。
【００２７】
図８は、揺動玩具のさらに他の例を示すもので、この揺動玩具Ａ２は親馬５０の頭部５１が揺動すると子馬５２、５３の頭部５４、５５も揺動するようにしたものである。
【００２８】
この揺動玩具Ａ２は基台１の上に、一頭の親馬５０と２頭の子馬５２、５３とが配置され、親馬５０の頭部５１が左右に揺動すると、左右の子馬５２、５３の頭部５４、５５が連動して左右に揺動するようにしたものである。この揺動玩具Ａ２は、図９に示すように、揺動部材５６の軸部５６ａの下端には磁石１４の収容部５７が形成され、この収容部５７から前方（揺動部材の揺動方向に直交する方向）にアーム５８が１本突出して形成され、このアーム５８の先端には磁石５９が取り付けられている。
【００２９】
そして、子馬の頭部は揺動部材６０、６１の前後に支軸６２、６３が突出形成され、胴体部の内部に形成された軸受孔（図示せず）に支持され、下方に伸びた軸体６０ａ、６１ａの下端には磁石６４、６５が固定されている。この磁石６４、６５はアーム５８の先端に取り付けられた磁石５９と反発しあうように取り付けられ、頭部５１が一方向（例えば、右方向）に揺動するとアーム５８の磁石５９は頭部５１と反対方向(左方向)に揺動し、子馬５２の磁石６４を反発させるので子馬５２の頭部５４は支軸６２を中心に親馬５０の頭部５１と同一方向（右方向）に揺動する。
【００３０】
そして、親馬５０の頭部が反対側（左方向）に揺動すると、子馬５３の頭部５５が親馬の頭部５１と同じ方向に揺動し、親馬５０の頭部５１の揺動に合わせて子馬５２、５３の頭部５４、５５が同じ方向に揺動するので、親子の馬が揃って同じ方向に頭部を揺動させ、複数の揺動体が揃って揺動する見た目にも楽しい揺動玩具を実現することができる。
【００３１】
なお、上述の揺動玩具Ａ〜Ａ２は、図５の回路図に示すように、圧電ブザー２７を備えているのでスイッチ２６をＯＮしておくと、コイル２０に低周波電流が流れているときにはコイル２０の両端に低周波電圧が発生し、この低周波電圧が圧電ブザー２７を駆動するので周期的に圧電ブザー２７に低周波電圧が供給されてブザーが鳴動することになり、特別に音声回路を設けることなく揺動玩具の揺動に同期してブザー音が出力され、あたかも子ガエルや子馬が鳴いているような効果を付与することができ、特別な回路やソフトを必要とせずに単に揺動体が揺動するだけの従来の揺動玩具とは異なる揺動玩具を実現することができる。
【図面の簡単な説明】
【００３２】
【図１】本発明に係る揺動玩具の一例を示す外観斜視図
【図２】上記揺動玩具の内部構造を説明する斜視図
【図３】上記揺動玩具の分解斜視図
【図４】上記揺動玩具の動作を説明する要部断面図
【図５】上記揺動玩具の電気回路図
【図６】上記揺動玩具の他の例を示す外観斜視図
【図７】上記他の例の揺動玩具の内部構造を説明する斜視図
【図８】上記揺動玩具の別の例を示す外観斜視図
【図９】上記別の例の揺動玩具の内部構造を説明する斜視図
【符号の説明】
【００３３】
１    基台
２    揺動体
３    太陽電池
４    胴体部
５    揺動部材
６    支軸
７    軸受孔
８    連結軸
１４    磁石
２０    コイル
２２    制御回路
Ａ    揺動玩具
【図１】
2008067995.tif 000003
【図２】
2008067995.tif 000004
【図３】
2008067995.tif 000005
【図４】
2008067995.tif 000006
【図５】
2008067995.tif 000007
【図６】
2008067995.tif 000008
【図７】
2008067995.tif 000009
【図８】
2008067995.tif 000010
【図９】
2008067995.tif 000011